(57)【要約】【課題】固体撮像素子からの画像信号の読出しに際して該信号に重畳されてしまう雑音成分を確実に除去し、画質の劣化を防止する。【解決手段】ＣＣＤ２２と、このＣＣＤ２２で得た画像信号に対する雑音打消しのためのパターン信号を複数記憶した雑音パターンＲＯＭ２５と、色信号処理回路２６の動作状態に対応して雑音パターンＲＯＭ２５から読出されるパターン信号によりＣＣＤ２２で得た画像信号に重畳するＯＢクランプ回路２４とを備える。【選択図】      図１
2010161811.tif 000002
【特許請求の範囲】
【請求項１】
被写体像を表す画像信号を出力する固体撮像素子と、
所定の補間処理を上記画像信号に施す色信号処理回路と、
上記画像信号に含まれる雑音を打消すための雑音打消し信号を記憶している記憶手段と、
上記雑音打消し信号を上記記憶手段から読出す読出手段と、
上記色信号処理回路が上記補間処理を実行していない間において、上記読出手段に上記雑音打消し信号の読出し動作を禁止させる読出制御手段と、
上記読出手段により読出された上記雑音打消し信号を上記画像信号に重畳させる重畳手段と
を具備することを特徴とする撮像装置。
【請求項２】
各部の動作のタイミングを規定するタイミング信号を各部に供給するタイミング信号発生手段をさらに具備し、
上記固体撮像素子は、上記タイミング信号により規定されるタイミングで、被写体像を表す画像信号を出力し、
上記色信号処理回路は、上記タイミング信号により規定されるタイミングで、上記補間処理を上記画像信号に施す
ことを特徴とする請求項１記載の撮像装置。
【請求項３】
固定撮像素子から出力された画像信号に所定の補間処理を施す色信号処理工程と、
上記画像信号に含まれる雑音を打消すための雑音打消し信号を記憶している記憶手段から上記雑音打消し信号を読出す読出工程と、
上記色信号処理工程において上記補間処理が実行されていない間において、上記読出工程において上記雑音打消し信号の読出し動作を禁止させる読出制御工程と、
上記読出工程において読出された上記雑音打消し信号を上記画像信号に重畳させる重畳工程と
を有したことを特徴とする撮像信号の雑音除去方法。
【発明の詳細な説明】
【技術分野】
【０００１】
本発明は、例えばデジタルスチルカメラ等に好適な撮像装置及び撮像信号の雑音除去方法に関する。
【背景技術】
【０００２】
近時、パーソナルコンピュータの普及に連れてデジタルスチルカメラも一般に広く使用されるようになってきた。
【０００３】
図６は、この種のデジタルスチルカメラに多く使用されている撮像素子としてのＣＣＤ（Ｃｈａｒｇｅ  Ｃｏｕｐｌｅｄ  Ｄｉｖｉｃｅ：電荷結合素子）の画素構成を例示するものである。
【０００４】
図中、各正方形状の矩形がそれぞれ一つの受光素子でなる画素Ｃを示しており、これら各画素Ｃ，Ｃ，‥‥が行列状に配列されて該ＣＣＤの撮像面が構成されている。
【０００５】
しかるに、このＣＣＤと組合わされる図示しない光学レンズ系によって、図中に枠線ＦＬで示す範囲の内側にある各画素Ｃが撮像に有効な受光部ＲＯとなる一方、枠線ＦＬで示す範囲の外側にある各画素Ｃは遮光された光学的暗部ＯＢとなる。
【０００６】
通常、この光学的暗部ＯＢの画素Ｃからの出力は、受光部ＲＯの画素Ｃの出力信号における、光が全く当たっていない真っ黒に相当するゼロレベルとして利用している。
【０００７】
これは具体的には、全光学的暗部ＯＢの信号レベルの平均値を受光部ＲＯの各画素Ｃの出力データから差し引く、所謂ＯＢクランプと称される技術であり、このＯＢクランプによって、半導体製品であり、出力信号のレベルに個体差を有するＣＣＤであっても、正確な画像データの出力を得られるようにしている。
【０００８】
図７は、このようなデジタルカメラの撮像系の回路構成を示すものである。同図中、ＣＣＤ１１での撮像により得られた受光部ＲＯ及び光学的暗部ＯＢを含む全範囲を構成するアナログ値の画像信号は、サンプルホールド回路（Ｓ／Ｈ）１２によりその時点で設定されているＣＣＤ１１からの画素読出しスピードに対応した時間幅でサンプルホールドされた後、Ａ／Ｄ変換器１３にてデジタルデータ化される。
【０００９】
こうして得られたデジタル値の各画素のデータに基づいてＯＢクランプ部１４により、まず光学的暗部ＯＢの画素の総和から１画素当りの平均値が算出され、次にその平均値を用いて受光部ＲＯ部の各画素から該平均値を差し引く、上述したＯＢクランプが実行されるもので、このＯＢクランプ後の画像データが色処理回路１５に送られる。
【００１０】
色処理回路１５では、ガンマ補正及びホワイトバランス補正等の補正処理を実行した後に、色成分を補う補間処理を実行し、それから原色系あるいは補色系のそれら画像データを記録のために輝度色差系の画像データＹＵＶに変換する。
【００１１】
そして、その輝度色差系の画像データを所定の方式、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ってデータ圧縮して、図示しない次段の記録系及び表示系の回路へ出力する。
【００１２】
しかして、上記ＣＣＤ１１、サンプルホールド回路１２、Ａ／Ｄ変換器１３、ＯＢクランプ部１４、及び色処理回路１５のすべてに対してタイミング発生回路（ＴＧ）１６から各種タイミング信号が供給され、動作タイミングの制御が統括してなされるもので、このタイミング発生回路１６はデジタル回路で構成される。
【００１３】
すなわち、ＣＣＤ１１の駆動と読出しはタイミング発生回路１６からのタイミング信号によりなされるものであり、読出しに際してはテレビ画面と同様のラスタスキャン（走査）により１画素単位で行なうものであるが、こうしてＣＣＤ１１から出力される信号はアナログであり、一方、上述した如くタイミング発生回路１６はデジタル動作でタイミング信号を送ってくるため、ＣＣＤ１１の出力する画像信号にはどうしてもデジタル回路動作に伴なう雑音が混入してしまうことになる。
【発明の概要】
【発明が解決しようとする課題】
【００１４】
上記の点をより詳細に説明する。
【００１５】
図８は、ＣＣＤ１１に一般的に採用されているベイヤー配列と称される原色系のカラーフィルタ配列を示すものであり、図中に破線範囲Ｄで示すようにＧ（緑）×２画素、Ｒ（赤），Ｂ（青）×各１画素からなる、隣接した横２画素×縦２画素の矩形状の計４画素を基本単位として後の色処理回路１５で画素補間処理等を行なうことになる。
【００１６】
すなわち、タイミング発生回路１６では、ＣＣＤ１１から読出しを行なう１画素周期のサンプリングのためのタイミング信号を１／２に分周したタイミング信号を色処理回路１５に送出しており、この色処理回路１５へのタイミング信号に伴う雑音やタイミング信号による色処理回路１５の動作に伴う雑音がＣＣＤ１１から読出した画像信号に混入する。
【００１７】
したがって、該色処理回路１５での処理に伴なう雑音がＣＣＤ１１からの信号の読出し時に横２画素の周期で混入し、これにより特に受光部ＲＯ内の信号レベルが低い暗部での色再現性に悪影響を与えることとなる。
【００１８】
また、１画素毎のタイミング信号を１／４分周したタイミング信号等もタイミング発生回路１６から出力されるものであるが、上記１／２分周したタイミング信号がＣＣＤ１１からの信号の読出しに与える雑音の影響が最も大きい。
【００１９】
加えて、１画素毎のタイミング信号そのものもＣＣＤ１１からの信号に雑音を混入するものであるが、この場合、すべての画素に均一に雑音が混入するため、画像全体でさほど目立つものとはならない。
【００２０】
上記のような１画素毎のタイミング信号を１／２分周したタイミング信号が、ＣＣＤ１１からの信号の読出しに与える雑音の影響を排除する方法の一つとして、図９に示すようなものが考えられている。
【００２１】
図９（１）は上記図８で示したベイヤー配列のカラーフィルタを有するＣＣＤ１１の奇数ラインから画素単位で読出される信号のタイミングを例示するものであり、図９（２）はその画素単位の読出しに同期した転送クロックの基本周波数信号を示す。
【００２２】
この図９（２）で示した基本周波数信号を基に、これを１／２に分周した図９（３）に示すような信号を作成し、この信号を用いてＣＣＤ１１から信号を読出す際のオフセット量を２画素周期で変更設定するようにしたものが考えられている。
【００２３】
しかしながら、このように所定の周期を想定して雑音に対処する方法では、それ以外の周期、タイミングで発生する雑音に対応することができない。ＣＣＤを用いるデジタルカメラでは、通常の画像信号処理など、ＣＣＤの駆動以外にもデジタル回路を多用しており、その動作状態は時々刻々と変化するので、雑音の発生状態もそれに対応して変化する。
【００２４】
したがって、上述した如く所定の周期を想定して雑音を打消すものとしても、すべての雑音に対応することは困難であり、結果として撮像により得られる画像データの画質の劣化を免れることはできないという不具合があった。
【００２５】
本発明は上記のような実情に鑑みてなされたもので、その目的とするところは、固体撮像素子からの画像信号の読出しに際して該信号に重畳されてしまう雑音成分を確実に除去し、画質の劣化を防止することが可能な撮像装置及び撮像信号の雑音除去方法を提供することにある。
【課題を解決するための手段】
【００２６】
本発明の第一の観点に係る撮像装置は、被写体像を表す画像信号を出力する固体撮像素子と、所定の補間処理を上記画像信号に施す色信号処理回路と、上記画像信号に含まれる雑音を打ち消すための雑音打消し信号を記憶している記憶手段と、上記雑音打消し信号を上記記憶手段から読み出す読出手段と、上記色信号処理回路が上記補間処理を実行していない間において、上記読出手段に上記雑音打消し信号の読出し動作を禁止させる読出制御手段と、上記読出手段により読出された上記雑音打消し信号を上記画像信号に重畳させる重畳手段とを具備する。
【００２７】
本発明の第二の観点に係る撮像装置は、固定撮像素子から出力された画像信号に所定の補間処理を施す色信号処理工程と、上記画像信号に含まれる雑音を打消すための雑音打消し信号を記憶している記憶手段から上記雑音打消し信号を読出す読出工程と、上記色信号処理工程において上記補間処理が実行されていない間において、上記読出工程において上記雑音打消し信号の読出し動作を禁止させる読出制御工程と、上記読出工程において読出された上記雑音打消し信号を上記画像信号に重畳させる重畳工程とを有する。
【発明の効果】
【００２８】
本発明によれば、周辺回路の動作状態による雑音の影響を確実に除去し、画質の劣化を防止することができる。
【図面の簡単な説明】
【００２９】
【図１】本発明の第１の実施の形態に係るデジタルスチルカメラの撮像系の回路構成を示すブロック図。
【図２】図１の主として色信号処理回路の詳細な回路構成を示すブロック図。
【図３】同実施の形態に係る撮像モード時の雑音除去の処理内容を示すフローチャート。
【図４】本発明の第２の実施の形態に係るデジタルスチルカメラの撮像系の回路構成を示すブロック図。
【図５】同実施の形態に係る画像中の画素位置の区分領域を例示する図。
【図６】撮像素子としてのＣＣＤの画素構成を例示する図。
【図７】一般的なデジタルカメラの撮像系の回路構成を示すブロック図。
【図８】原色系ベイヤー配列のカラーフィルタの構成を示す図。
【図９】ＣＣＤ画素の呼出し周期に対応した雑音の発生状態を示す図。
【発明を実施するための形態】
【００３０】
（第１の実施の形態）
以下本発明をデジタルスチルカメラに適用した場合を第１の実施の形態として図面を参照して説明する。
【００３１】
図１は、同実施の形態に係るデジタルスチルカメラの撮像系の回路構成を示すものである。同図中、光学レンズ系２１によりＣＣＤ２２に被写体の光像が結像され、その結果アナログ値の画像信号が得られる。
【００３２】
このＣＣＤ２２は、例えば原色系ベイヤー配列のカラーフィルタを形成してなるもので、このＣＣＤ２２で得られた画像信号は、ＣＤＳ／ＡＤＣ回路２３にてサンプルホールドされた後にＡ／Ｄ変換されてデジタル化される。
【００３３】
こうして得られたデジタル値の画像信号を構成する各画素値に関し、ＯＢクランプ回路２４でＯＢクランプを実行する。この際、後述する雑音パターンＲＯＭ２５から送られてくる雑音打消しのためのパターン信号を重畳することでＯＢクランプを適宜変化させるもので、クランプ後の画像信号を色信号処理回路２６へ出力する。
【００３４】
この色信号処理回路２６は、ベイヤー配列の画素値からなる画像信号に対して各種補正処理及び補間処理を行なった後に輝度色差系の画像信号に変換し、さらにデータ圧縮してから、図示しない次段の記録系及び表示系の回路へ出力する。
【００３５】
併せて、この色信号処理回路２６の動作状態は雑音パターンＲＯＭ２５に出力される。この雑音パターンＲＯＭ２５は、雑音打消しのためのパターン信号を予め複数固定記憶しており、色信号処理回路２６から入力される動作状態に対応して最適なパターン信号を選択して読出し、上記ＯＢクランプ回路２４に送出する。
【００３６】
しかして、上記ＣＣＤ２２、ＣＤＳ／ＡＤＣ回路２３、ＯＢクランプ回路２４、色信号処理回路２６、及び雑音パターンＲＯＭ２５のすべてに対してタイミング発生回路（ＴＧ）２７から各種タイミング信号が供給され、動作タイミングの制御が統括して実行される。
【００３７】
図２は主として上記色信号処理回路２６内の詳細な回路構成を示すものである。同図で、上記ＯＢクランプ回路２４から送られてきたベイヤー配列の画素値からなる画像信号は、順次バッファメモリ３１に記憶保持された後に補正処理部３２へ読出される。
【００３８】
この補正処理部３２は、ガンマ補正及びホワイトバランス補正を行なうことで各色成分の調整を行なうもので、補正処理後の画像信号はバッファメモリ３３に記憶保持された後に補間／ＹＵＶ変換部３４に送られる。
【００３９】
この補間／ＹＵＶ変換部３４は、ベイヤー配列の画素値からなる画像信号に対し、まずＲ，Ｂの各色成分を補間してＧ成分とデータ量を等しくし、その後に所定のマトリックス演算により輝度色差系の画像信号（ＹＵＶデータ）に変換するもので、得た画像信号はＪＰＥＧ処理部３５へ送出される。
【００４０】
このＪＰＥＧ処理部３５は、送られてきた画像信号に対してＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、ハフマン符号化等の処理によりデータ量を圧縮するもので、得られたデータ圧縮された画像信号が、この色信号処理回路２６の出力として次段の記録系及び表示系の回路へ送出される。
【００４１】
しかして、上記バッファメモリ３１、補正処理部３２、バッファメモリ３３、補間／ＹＵＶ変換部３４、及びＪＰＥＧ処理部３５の動作をすべて制御部３６が統括制御するもので、この制御部３６は上記タイミング発生回路２７からのタイミング信号に基づいて動作し、また上記各回路での動作状態に応じた信号を上記雑音パターンＲＯＭ２５へも出力している。
【００４２】
次いで上記実施の形態の動作について説明する。
【００４３】
図３は、撮像モード時に上記色信号処理回路２６の制御部３６が実行する処理内容を示すものであり、その当初には上記タイミング発生回路２７からのタイミング信号が入力されるのを待機し（ステップＳ０１）、入力されたと判断した時点で、次にその時点で上記補間／ＹＵＶ変換部３４による補間処理の動作中であるか否かを判断する（ステップＳ０２）。
【００４４】
これは、補間／ＹＵＶ変換部３４がバッファメモリ３３に記憶されている所定複数ライン分の画像信号を用いて補間処理を実行する間は、上述した２画素周期の雑音が発生する一方、バッファメモリ３３に次の補間処理に備えて新たに所定複数ライン分の画像信号を蓄積している間は、補間／ＹＵＶ変換部３４は該補間処理を停止するため、雑音が発生しない。
【００４５】
したがって、制御部３６は、補間／ＹＵＶ変換部３４が補間処理の動作中であるか否かを判断することにより、上記雑音パターンＲＯＭ２５で必要な雑音打消しのためのパターン信号を適宜選択して読出させ、ＯＢクランプ回路２４へ出力させる。
【００４６】
しかして、ステップＳ０２で補間／ＹＵＶ変換部３４による補間処理の動作中であると判断した場合には、制御部３６は雑音パターンＲＯＭ２５に対して２画素周期の雑音を打消すためのパターン信号を読出してＯＢクランプ回路２４へ出力させる信号を出力した上で（ステップＳ０３）、再び次のタイミング信号がタイミング発生回路２７から送られてくるのを待機する。
【００４７】
また、補間／ＹＵＶ変換部３４は補間処理の動作中ではなく、バッファメモリ３３に所定複数ライン分の画像信号を蓄積しているので補間／ＹＵＶ変換部３４が補間処理を一次的に停止していると判断した場合には、制御部３６は雑音パターンＲＯＭ２５に対して雑音打消しのためのパターン信号の読出しを停止する信号を出力した上で（ステップＳ０４）、再び次のタイミング信号がタイミング発生回路２７から送られてくるのを待機する。
【００４８】
したがってＯＢクランプ回路２４では、雑音パターンＲＯＭ２５からパターン信号が読出されてくる場合にはそのパターン信号の内容にしたがって適宜ＯＢクランプのレベルをその都度可変することにより、結果として雑音の影響を極力排除することができるようになる。
【００４９】
このように、ＣＣＤ２２からの画像信号の読出しに際して、特にその画像信号への雑音の影響が大きいと思われる色信号処理回路２６の補間／ＹＵＶ変換部３４の補間動作の状態に対応して雑音パターンＲＯＭ２５で発生させるパターン信号を切換えて雑音除去を行なうようにしたため、より確実に雑音の影響を排除し、画質の劣化を防止することができる。
【００５０】
加えて、雑音を除去するための動作の必要があるタイミングでのみ該動作を実行するようにしたため、雑音の影響がない画像信号に対して雑音打消しのためのパターン信号を加えてしまい逆に雑音を重畳させてしまうといったことを防止することができるととともに、無駄な回路動作を避けることで画像信号に対する処理工程を減じ、速やかに後段の表示系または記録系の回路へ送出することができる。
【００５１】
また特に、補間／ＹＵＶ変換部３４での補間動作の実行に関しては制御部３６がこれを常時監視して正確なタイミングで雑音打消しのための信号パターンの切換えを行なわせるので、より確実に雑音の影響を排除できる。
【００５２】
（第２の実施の形態）
以下本発明をデジタルスチルカメラに適用した場合を第２の実施の形態として図面を参照して説明する。
【００５３】
図４は、同実施の形態に係るデジタルスチルカメラの撮像系の回路構成を示すものである。同図中、光学レンズ系４１によりＣＣＤ４２に被写体の光像が結像され、その結果アナログ値の画像信号が得られる。
【００５４】
このＣＣＤ４２は、例えば原色系ベイヤー配列のカラーフィルタを形成してなり、タイミング発生回路（ＴＧ）４７からのタイミング信号に同期して駆動されるもので、このＣＣＤ４２で得られた画像信号は、ＣＤＳ／ＡＤＣ回路４３にてやはりタイミング発生回路４７からのサンプリングクロックに同期してサンプルホールドされ、Ａ／Ｄ変換によりデジタル化される。
【００５５】
こうして得られたデジタル値の画像信号を構成する各画素値は順次加算器４４及びＯＢデータ累積回路４５に送出される。
【００５６】
このＯＢデータ累積回路４５は、タイミング発生回路４７からの光学的暗部ＯＢの画素タイミング信号により、画像信号中の光学的暗部ＯＢ全体の画素値を累積記憶してその平均値を算出し、加算器４６へ送出する。
【００５７】
タイミング発生回路４７は、上記したＣＣＤ４２、ＣＤＳ／ＡＤＣ回路４３、及びＯＢデータ累積回路４５だけではなく、雑音位置ＲＯＭ４８にもタイミング信号として動作クロックとその時点でＣＤＳ／ＡＤＣ回路４３から出力されている画像信号の画素位置（行桁位置）とを与える。
【００５８】
雑音位置ＲＯＭ４８は、タイミング発生回路４７からの入力により、予め記憶されているテーブルパターンに基づいて該当する画像中での画素領域を表す情報を雑音パターンＲＡＭ４９へ出力する。
【００５９】
この雑音パターンＲＡＭ４９は、タイミング発生回路４７から送られてくる、その画素がカラーフィルタ中のどの色画素（Ｒ，Ｇｒ，Ｂ，Ｇｂ（ここでＧｒ，ＧｂはそれぞれＲ，Ｂの横に位置しているＧを示す））に相当するのかを示すタイミング信号に基づき、雑音位置ＲＯＭ４８からの画素領域の情報に対応した光学的暗部ＯＢの色画素毎の補正値を雑音打消しのためのパターン信号として加算器４６に送出する。
【００６０】
しかして、加算器４６において、雑音パターンＲＡＭ４９からの画素領域の情報に対応した光学的暗部ＯＢの色画素毎の補正値とＯＢデータ累積回路４５からの光学的暗部ＯＢ全体の画素値の平均値とを加算することで、その和としてゼロ（黒）レベル信号を得るもので、得たゼロレベル信号を上記加算器４４へ送出する。
【００６１】
加算器４４は、このゼロレベルの信号と上記ＣＤＳ／ＡＤＣ回路４３からの画素値とを加算してその和を色信号処理回路５０へ出力する。
【００６２】
色信号処理回路５０は、上記図２における色信号処理回路２６と同様の回路構成を有するもので、タイミング発生回路４７からのタイミング信号に基づき、加算器４４の出力であるベイヤー配列の画素値からなる画像信号に対して適宜バッファメモリに記憶しながら、各種補正処理及び補間処理を行なった後に輝度色差系の画像信号に変換し、さらにデータ圧縮してから、図示しない次段の記録系及び表示系の回路へ出力する。
【００６３】
次に上記実施の形態の動作について説明する。
【００６４】
図５は、ＣＣＤ４２で撮像される画像中の画素領域区分を例示するものであり、画像上端部からのライン数により、画像をそれぞれ矩形状の領域（１）〜（３）に区分しておくものとする。
【００６５】
すなわち、ＣＣＤ４２で得られた画像信号がＣＤＳ／ＡＤＣ回路４３でデジタル化され、加算器４４、ＯＢデータ累積回路４５、加算器４６を介して色信号処理回路５０に転送されていく過程で、色信号処理回路５０での色信号処理に応じた周期の雑音の影響を受けるものとした場合、画像中の領域の部位と色信号処理回路５０での実際の色信号処理の内容とが連動しているものとすれば、画像中の領域の部位毎に雑音打消しのパターン信号を切換えることで、色信号処理回路５０から与えられる雑音の影響を完全に排除できることとなる。
【００６６】
したがって、上記画像中の領域（１）〜（３）に対応したコード信号を雑音位置ＲＯＭ４８から画素領域を表す情報として雑音パターンＲＡＭ４９に読出すものとし、これを受けた雑音パターンＲＡＭ４９がその時点でのカラーフィルタの色画素（Ｒ，Ｇｒ，Ｂ，Ｇｂ）毎の雑音パターンに対応した補正値を加算器４６に送出して光学的暗部ＯＢのゼロレベル補正を行なわせることとすれば、その時点で色信号処理回路５０が実行している色信号処理の内容に即した、より適切な雑音打消しのためのパターン信号を含むゼロレベルデータを用いて加算器４４でＣＤＳ／ＡＤＣ回路４３から転送されてきた画素値に重畳することができる。
【００６７】
このように、色信号処理回路５０から与えられる雑音のパターンをその画素が属する画像中の区分領域により予見することができるため、より適切なパターン信号に切換えて画像信号から雑音の影響を確実に除去し、画質の劣化を防止することができる。
【００６８】
しかして、上記第１及び第２の実施の形態のいずれにおいても、画像信号のゼロレベルの基準となる光学的暗部ＯＢの信号レベルを変化させることにより画像信号中に含まれる雑音を打消すようにしたため、画像信号に対するパターン信号の重畳処理を容易なものとすることができる。
【００６９】
なお、上記第１及び第２の実施の形態では、いずれも固体撮像素子としてＣＣＤを用いるものとしたが、これに限らず、ＣＭＯＳエリアセンサ等、他の固体撮像素子を用いるものとしてもよい。
【００７０】
また、上記第１及び第２の実施の形態は、共にデジタルスチルカメラに適用した場合について示したものであるが、本発明はそれらに限るものではなく、固体撮像素子を用いて撮像を行なうような撮像装置であれば、デジタルビデオカメラ、携帯電話機やパーソナルコンピュータ等に組込まれたＣＣＤカメラ等であってもよい。
【００７１】
その他、本発明は上記実施の形態に限らず、その要旨を逸脱しない範囲内で種々変形して実施することが可能であるものとする。
【００７２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００７３】
１１…ＣＣＤ
１２…サンプルホールド回路（Ｓ／Ｈ）
１３…Ａ／Ｄ変換器
１４…ＯＢクランプ部
１５…色処理回路
１６…タイミング発生回路（ＴＧ）
２１…光学レンズ系
２２…ＣＣＤ
２３…ＣＤＳ／ＡＤＣ回路
２４…ＯＢクランプ回路
２５…雑音パターンＲＯＭ
２６…色信号処理回路
２７…タイミング発生回路（ＴＧ）
３１…バッファメモリ
３２…補正処理部
３３…バッファメモリ
３４…補間／ＹＵＶ変換部
３５…ＪＰＥＧ処理部
３６…制御部
４１…光学レンズ系
４２…ＣＣＤ
４３…ＣＤＳ／ＡＤＣ回路
４４…加算器
４５…ＯＢデータ累積回路
４６…加算器
４７…タイミング発生回路（ＴＧ）
４８…雑音位置ＲＯＭ
４９…雑音パターンＲＡＭ
５０…色信号処理回路
Ｃ…画素
Ｄ…破線範囲
ＲＯ…受光部
ＯＢ…光学的暗部
【図１】
2010161811.tif 000003
【図２】
2010161811.tif 000004
【図３】
2010161811.tif 000005
【図４】
2010161811.tif 000006
【図５】
2010161811.tif 000007
【図６】
2010161811.tif 000008
【図７】
2010161811.tif 000009
【図８】
2010161811.tif 000010
【図９】
2010161811.tif 000011